(57)【要約】      （修正有）【課題】前面扉に対するカバー体の着脱作業の際、工具を必要としないカバー体の取付構造を提供する。【解決手段】カバー体の取付構造は、複数の縦棒状部材６１、７１、８１と、それら縦棒状部材に交差する態様で組み合わせた複数の横棒状部材９０とで構成したカバー体を、前面扉１１の下部に形成した開口１４の開口縁に取り付けるものである。このカバー体の取付構造は、複数の縦棒状部材のうち、上端に係合凸部を有する係合縦棒状部材６１と、開口縁の天面に前後方向に沿って延在する態様で形成され、係合凸部の挿脱を許容する挿脱孔５０ａと、該挿脱孔に連続して左右方向に沿って延在する態様で形成され、挿入された係合凸部が離脱することを規制する挿脱規制孔５０ｂとで構成する係合孔５０と、挿脱孔に係合凸部が挿入された係合縦棒状部材を、該係合凸部が挿脱規制孔に進入するようカバー体を付勢する付勢手段５９とを備えている。【選択図】図３
2008225900.tif 000002
【特許請求の範囲】
【請求項１】
複数の縦棒状部材と、それら縦棒状部材に交差する態様で組み合わせた複数の横棒状部材とで構成したカバー体を、前面扉の下部に形成した開口の開口縁に取り付けるカバー体の取付構造において、
複数の縦棒状部材のうち、上端に係合凸部を有する係合縦棒状部材と、
前記開口縁の天面に前後方向に沿って延在する態様で形成され、前記係合凸部の挿脱を許容する挿脱孔と、該挿脱孔に連続して左右方向に沿って延在する態様で形成され、挿入された前記係合凸部が離脱することを規制する挿脱規制孔とで構成する係合孔と、
前記挿脱孔に前記係合凸部が挿入された前記係合縦棒状部材を、該係合凸部が前記挿脱規制孔に進入するよう前記カバー体を付勢する付勢手段と
を備えることを特徴とするカバー体の取付構造。
【請求項２】
前記付勢手段は、
前後方向に沿って延在する第１長孔と、前記第１長孔の延在領域から左右方向に沿って延在する第２長孔とを後方から前方に順次並べて前記開口縁に形成する第２係合孔と、
一端から下方に向けて延在する第２係合凸部と、他端から後方より前方に向けて延在し、前記第２係合凸部の後方に位置する延在部と、延在部の前端から下方に向けて延在する第３係合凸部と、第２係合凸部の下端部および第３係合凸部の下端部を連結する連結部とを備え、上部が開口するとともに下部が突出する態様で形成してあり、常態では、第２係合凸部の前端から第３係合凸部の後端までの大きさが、第１長孔の延在領域に位置する第２長孔の前縁から第１長孔の後縁までの大きさと同一であり、前記一端と前記他端とが互いに近接する方向に外力を加えた場合には、第２長孔に一端が挿入可能であるとともに第１長孔に延在部の後端が挿入可能な弾性体であって、前記第２係合孔に対応するよう配置した付勢縦棒状部材と
で構成し、
前記付勢縦棒状部材の前記一端と前記他端とが互いに近接する方向に外力を加えた状態で、第２長孔に一端を挿入するとともに第１長孔に延在部の後端を挿入した後、外力を取り除いた場合には、前記付勢縦棒状部材の弾性復元力によって、第１長孔の後縁に第３係合凸部が当接するとともに第２長孔の前縁に第２係合凸部が当接することで前記カバー体を付勢することを特徴とする請求項１に記載のカバー体の取付構造。
【請求項３】
複数の前記横棒状部材を前側に配置することで前記カバー体の前側を剛体とする一方、前記カバー体の後側を弾性体に構成することを特徴とする請求項２に記載のカバー体の取付構造。
【発明の詳細な説明】
【技術分野】
【０００１】
本発明は、複数の縦棒状部材と、それら縦棒状部材に交差する態様で組み合わせた複数の横棒状部材とで構成したカバー体を、前面扉の下部に形成した開口の開口縁に取り付けるカバー体の取付構造に関するものである。
【背景技術】
【０００２】
自動販売機の中には、開口部を有する本体キャビネットと、その本体キャビネットの開口部を開閉する前面扉とを備えるものがある。
【０００３】
本体キャビネットは、缶入り飲料、ペットボトル入り飲料等の商品を収納するものであるとともに、それらの商品を冷却する冷却装置を備えている。冷却装置は、蒸発器、凝縮器、圧縮機、および送風ファンを備えている。
【０００４】
本体キャビネットには例えば第１吸排気口が形成してあり、前面扉には第２吸排気口（開口）が形成してあり、冷却装置を駆動した場合には、送風ファンにより上記吸排気口を通じて本体キャビネットの内部に空気が供給され、空気と冷却装置の冷媒との間で熱交換が行われる。また、この熱交換の際、送風ファンによって、上記吸排気口を通じて本体キャビネットの内部から外部に熱交換された空気が排出される。
【０００５】
前面扉の第２吸排気口には、複数の縦棒状部材と、複数の横棒状部材とを交差するよう組み合わせることで構成したカバー体を取り付けてある。
【０００６】
このカバー体により、例えばネズミ等の小動物が上記第２吸排気口を通じて本体キャビネットの外部から内部に進入することを防止することができる（例えば、特許文献１参照）。
【０００７】
【特許文献１】特許第３８６６３１４号公報
【発明の開示】
【発明が解決しようとする課題】
【０００８】
ところで、上記自動販売機では、３本のネジ（締結具）によって、前面扉の吸排気口にカバー体を取り付けていた。
【０００９】
よって、このような自動販売機では、ドライバー等の工具がないと、前面扉からカバー体を取り外すことができず、かつ前面扉にカバー体を取り付けることができない問題があった。
【００１０】
本発明は、上記実情に鑑み、前面扉に対するカバー体の着脱作業の際、工具を必要としないカバー体の取付構造を提供することにある。
【課題を解決するための手段】
【００１１】
上記の目的を達成するために、請求項１にかかる発明は、複数の縦棒状部材と、それら縦棒状部材に交差する態様で組み合わせた複数の横棒状部材とで構成したカバー体を、前面扉の下部に形成した開口の開口縁に取り付けるカバー体の取付構造において、複数の縦棒状部材のうち、上端に係合凸部を有する係合縦棒状部材と、前記開口縁の天面に前後方向に沿って延在する態様で形成され、前記係合凸部の挿脱を許容する挿脱孔と、該挿脱孔に連続して左右方向に沿って延在する態様で形成され、挿入された前記係合凸部が離脱することを規制する挿脱規制孔とで構成する係合孔と、前記挿脱孔に前記係合凸部が挿入された前記係合縦棒状部材を、該係合凸部が前記挿脱規制孔に進入するよう前記カバー体を付勢する付勢手段とを備えることを特徴とする。
【００１２】
また、本発明の請求項２にかかるカバー体の取付構造は、上記請求項１において、前記付勢手段は、前後方向に沿って延在する第１長孔と、前記第１長孔の延在領域から左右方向に沿って延在する第２長孔とを後方から前方に順次並べて前記開口縁に形成する第２係合孔と、一端から下方に向けて延在する第２係合凸部と、他端から後方より前方に向けて延在し、前記第２係合凸部の後方に位置する延在部と、延在部の前端から下方に向けて延在する第３係合凸部と、第２係合凸部の下端部および第３係合凸部の下端部を連結する連結部とを備え、上部が開口するとともに下部が突出する態様で形成してあり、常態では、第２係合凸部の前端から第３係合凸部の後端までの大きさが、第１長孔の延在領域に位置する第２長孔の前縁から第１長孔の後縁までの大きさと同一であり、前記一端と前記他端とが互いに近接する方向に外力を加えた場合には、第２長孔に一端が挿入可能であるとともに第１長孔に延在部の後端が挿入可能な弾性体であって、前記第２係合孔に対応するよう配置した付勢縦棒状部材とで構成し、前記付勢縦棒状部材の前記一端と前記他端とが互いに近接する方向に外力を加えた状態で、第２長孔に一端を挿入するとともに第１長孔に延在部の後端を挿入した後、外力を取り除いた場合には、前記付勢縦棒状部材の弾性復元力によって、第１長孔の後縁に第３係合凸部が当接するとともに第２長孔の前縁に第２係合凸部が当接することで前記カバー体を付勢することを特徴とする。
【００１３】
また、本発明の請求項３にかかるカバー体の取付構造は、上記請求項２において、複数の前記横棒状部材を前側に配置することで前記カバー体の前側を剛体とする一方、前記カバー体の後側を弾性体に構成することを特徴とする。
【発明の効果】
【００１４】
本発明にかかるカバー体の取付構造によれば、複数の縦棒状部材のうち、上端に係合凸部を有する係合縦棒状部材と、開口縁の天面に前後方向に沿って延在する態様で形成され、係合凸部の挿脱を許容する挿脱孔と、該挿脱孔に連続して左右方向に沿って延在する態様で形成され、挿入された係合凸部が離脱することを規制する挿脱規制孔とで構成する係合孔と、挿脱孔に係合凸部が挿入された係合縦棒状部材を、該係合凸部が挿脱規制孔に進入するようカバー体を付勢する付勢手段とを備えるため、係合凸部を挿脱孔に挿入すれば、係合凸部が挿脱規制孔に進入するよう付勢手段によって係合縦棒状部材が付勢されることとなる。また、付勢手段の付勢力によって係合凸部が挿脱規制孔に進入した状態が維持されるため、挿脱規制孔から係合縦棒状部材が離脱することを防止することができ、それにより、前面扉の開口縁からカバー体が脱落することを防止することができる。また、係合凸部が挿脱孔に進入するよう付勢手段の付勢力に抗して外力を加えれば、挿脱孔から係合凸部を離脱させることができ、それにより、前面扉の開口縁からカバー体を取り外すことができる。しかも、上述したように前面扉の開口縁にカバー体を着脱する際、ネジ等の締結具を必要としないため、ドライバー等の工具を必要としない。
【発明を実施するための最良の形態】
【００１５】
以下、添付図面を適宜参照しながら、本発明にかかるカバー体の取付構造を適用した自動販売機の好適な実施の形態について詳細に説明する。
【００１６】
図１は、本発明にかかるカバー体の取付構造を適用した自動販売機を示したものである。この自動販売機は、硬貨、紙幣等の貨幣の投入があった場合、缶入り飲料、ペットボトル入り飲料等の商品の払い出しを行うもので、不図示の本体キャビネットと前面扉１１とを備えている。
【００１７】
本体キャビネットは、複数の壁板を組み合わせることによって前面が開口部した箱状に構成したもので、それぞれの壁板に断熱材を配置することによって断熱機能を有する商品収容室をその内部に画成してある。さらに、この本体キャビネットの内部において、商品収容室の下方には、後述する冷却装置を配置する機械室を画成してある。さらに、本体キャビネットの下方には、例えば４本の脚１３を有する架台１２を設けてある。図には明示していないが、本実施の形態で例示する本体キャビネットは、缶、ペットボトル等の容器に充填された商品である飲料を冷却、もしくは加熱した状態で収容するものである。
【００１８】
本体キャビネットの内部には、商品を冷却するための冷却装置を設けてある。冷却装置は、商品収容室に配置する蒸発器、並びに機械室にそれぞれ配置する圧縮機、凝縮器、電子膨張弁、および送風ファンを備えている。
【００１９】
蒸発器、圧縮機、凝縮器、および電子膨張弁は、それぞれの間が冷媒供給管路によって接続してあり、冷媒が循環供給される冷凍サイクルを構成している。すなわち、この冷却装置では、圧縮機から吐出された高温高圧のガス冷媒が凝縮器において冷却されて高温高圧の液冷媒となる。この高温高圧の液冷媒は、電子膨張弁により断熱膨張されて低温低圧の気液２相冷媒となり蒸発器に供給される。蒸発器に供給された低温低圧の気液２相冷媒は、送風ファンによって供給された収容庫の空気と熱交換し、空気から吸熱することで低温低圧のガス冷媒となることにより収容庫の冷却を行う。蒸発器から吐出された低温低圧のガス冷媒は、圧縮機に吸入され、再び高温高圧のガス冷媒となって凝縮器に供給される。
【００２０】
前面扉１１は、本体キャビネットの前面に配置してあり、自身の一側縁部を介して、本体キャビネットの一側縁部にヒンジを介して取り付けてあり、本体キャビネットの開口部を開閉するものである。なお、以下の説明において、前面扉１１がある側を自動販売機の手前側（前面側）とし、本体キャビネットがある側を奥側（背面側）として説明する。
【００２１】
前面扉１１は、扉主板１１ａと、右扉枠１１ｂと、左扉枠１１ｃと、上扉枠１１ｄとで構成してある。扉主板１１ａは、その縦横の大きさが、本体キャビネットの開口部の下半分の縦横の大きさよりも大きくなるよう形成してある。この扉主板１１ａは、左側端部を背面側に折り曲げ、右側端部を背面側に折り曲げ、上側端部を背面側に折り曲げ、かつ下側端部を背面側に折り曲げた後、その折り曲げた端部を相互に突き合わせ溶接することで構成してある。各端部をそれぞれ折り曲げた扉主板１１ａは、本体キャビネットの開口部の下半分を閉塞する大きさを有している。
【００２２】
右扉枠１１ｂは、扉主板１１ａの背面側に折り曲げた右側端部に溶接するもので、扉主板１１ａを補強するものである。この右扉枠１１ｂの上下方向の長さは、本体キャビネットの上下方向の長さと同一である。
【００２３】
左扉枠１１ｃは、扉主板１１ａの背面側に折り曲げた左側端部に溶接するもので、扉主板１１ａを補強するものである。この左扉枠１１ｃの上下方向の長さは、本体キャビネットの上下方向の長さと同一である。
【００２４】
上扉枠１１ｄは、右扉枠１１ｂの上端端と、左扉枠１１ｃの上端部との間に掛け渡す態様で、それら扉枠１１ｂ，１１ｃの上端部にそれぞれ溶接するものである。この上扉枠１１ｄの左右方向の長さは、本体キャビネットの左右方向の長さと同一である。
【００２５】
扉主板１１ａに各扉枠１１ｂ，１１ｃ，１１ｄをそれぞれ取り付けた前面扉１１の縦横の大きさは、本体キャビネットの前面側の縦横の大きさと同一である。
【００２６】
この前面扉１１の内部には、扉主板１１ａの背面側に折り曲げた上側端部と、右扉枠１１ｂと、左扉枠１１ｃと、上扉枠１１ｄとによって商品見本展示室１５を画成してある。
【００２７】
商品見本展示室１５の内部には、金属材料により横断面がコ字状に形成され、開放面が奥側に向いた中央枠１６を配設してある。この中央枠１６は、上下方向に沿って延在し、互いに対向する一対の側板１６ａ，１６ｂと、一方の側板１６ａと他方の側板１６ｂとを連結する連結部とを備えている。これら一対の側板１６ａ，１６ｂによって、商品見本展示室１５を、図１中、左側に位置する第１商品見本展示部１７と、図１中、右側に位置する第２商品見本展示部１８とに分断してある。
【００２８】
各商品見本展示部１７，１８には、商品見本展示台２０を上下方向に複数並設してある。この実施の形態では、各商品見本展示部１７，１８には、商品見本展示台２０を上下方向に複数並設してある。
【００２９】
商品見本展示台２０は、商品見本２１を複数搭載できるよう台状に構成してある。この実施の形態では、商品見本展示台２０は、商品見本２１を５つ搭載できるよう商品見本２１を挿入するための商品見本挿入孔２０ａを５つ有するよう台状に形成してある。
【００３０】
第１商品見本展示部１７の前面側には、透明板２４が配設してある。また、第２商品見本展示部１８の前面側には、透明板２４が配設してある。
【００３１】
各透明板２４には、商品見本展示台２０に対応するよう押ボタンユニット２５を配設してある。押ボタンユニット２５は、商品見本２１に対応し、商品を選択するための押ボタン２５ａを複数備えている。この実施の形態では、各押ボタンユニット２５は、５つの押ボタン２５ａをそれぞれ有している。この押ボタン２５ａは、透明板２４に形成した不図示のボタン挿入孔を通じて商品見本展示室１５の外部に臨む態様で配置してある。
【００３２】
中央枠１６の前面側であって、前面扉１１の中央領域には、金属材料を薄板状に形成した化粧パネル３５を配設してある。化粧パネル３５は、上下方向に延在し、かつ下方の先端側が徐々に先細となる態様で形成してある。化粧パネル３５の先細となる先端側は、商品見本展示室１５の下部よりも下方に突出している。
【００３３】
化粧パネル３５には、紙幣挿通口４０、表示器４１、硬貨投入口４２、返却レバー４３、硬貨返却口４４を配設してある。
【００３４】
紙幣挿通口４０は、利用者が紙幣を挿入するための開口部である。この紙幣挿通口４０を通じて挿入された紙幣は、図示せぬ紙幣処理装置において適宜処理されることになる。なお、この紙幣挿通口４０は、利用者に対して紙幣を返却する際の紙幣返却口としても機能する。
【００３５】
表示器４１は、貨幣の入金額、商品の販売中であるか否か、釣り銭があるか否か等々、商品を販売する上で必要となる各種情報を外部に表示するためのものであり、例えば液晶表示器によって構成してある。
【００３６】
硬貨投入口４２は、利用者が硬貨を投入するための開口部である。この硬貨投入口４２を通じて投入された硬貨は、図示せぬ硬貨処理装置において適宜処理されることになる。
【００３７】
返却レバー４３は、紙幣挿通口４０から挿入した紙幣、あるいは硬貨投入口４２から投入した硬貨を返却するための操作部であり、硬貨投入口４２の近傍に配設してある。
【００３８】
硬貨返却口４４は、利用者に対して硬貨を返却するための開口部であり、硬貨投入口４２よりも下方となる位置に設けてある。
【００３９】
扉主板１１ａの下部には、商品取出口３９を形成してある。この商品取出口３９は、本体キャビネットに収容された商品が払い出された場合に、これを外部に取り出すための開口部である。
【００４０】
さらに、扉主板１１ａの下端部には、図１および図２に示すように、上記冷却装置のための吸排気口（開口）１４が形成してある。この吸排気口１４は、前面扉１１の左端部近傍から右端部近傍にわたる部位に上方に向かう態様で形成してある。換言すれば、吸排気口１４は、左右方向に延在する態様で形成してある。
【００４１】
上記冷却装置の送風ファンを駆動することにより、この吸排気口１４を通して本体キャビネットの内部に空気が供給され、かつ本体キャビネットの内部から外部に熱交換された空気が排出される。
【００４２】
また、扉主板１１ａの背面側には、図１〜図６に示すように、上記吸排気口１４の上方には、吸排気口１４の上端部に沿う態様で板材を折り曲げて形成したブラケット１４ａを設けてある。換言すれば、吸排気口１４の天面の縁に沿って上記ブラケット１４ａが設けてある。
【００４３】
このブラケット１４ａの両端部において、開口縁の天面には、図７に示すように、同一の形状の係合孔５０を左右方向に並べて２つ形成してある。各係合孔５０は、前後方向に沿って延在する態様で形成された挿脱孔５０ａと、その挿脱孔５０ａに連続し、左右方向に沿って延在する態様で形成された挿脱規制孔５０ｂとで構成してある。なお、この実施形態で示す係合孔５０は、後方から前方に向けて延在した後、図７中、左方向に延在する。
【００４４】
さらに、ブラケット１４ａの中央部において、開口縁の天面には、第２係合孔５５を形成してある。第２係合孔５５は、前後方向に沿って延在する第１長孔５５ａと、第１長孔５５ａの延在領域から左右方向に沿って延在する第２長孔５５ｂとで構成してある。第１長孔５５ａは、前面扉１１の後方に位置し、かつ第２長孔５５ｂは、前面扉１１の前方に位置する。なお、この実施形態で示す第２長孔５５ｂは、第１長孔５５ａの延在領域から図７中、右方に延在する。
【００４５】
図７に示す第１長孔５５ａの前後方向の大きさＬ１１と、第２長孔５５ｂの左右方向の大きさＬ２１とは同一である。この第２長孔５５ｂの左右方向の大きさＬ２１は、図７中、左方に示す一方の係合孔５０の左右方向の大きさＬ３１と同一であり、かつ図７中、右方に示す他方の係合孔５０の左右方向の大きさＬ４１と同一である。
【００４６】
さらに、図７に示す第１長孔５５ａの左右方向の大きさＬ１２と、第２長孔５５ｂの前後方向の大きさＬ２２とは同一である。また、これら第１長孔５５ａの左右方向の大きさＬ１２、および第２長孔５５ｂの前後方向の大きさＬ２２は、上記一方の係合孔５０の挿脱規制孔５０ｂの前後方向の大きさＬ３２と同一であり、かつ上記他方の係合孔５０の挿脱規制孔５０ｂの前後方向の大きさＬ４２と同一である。
【００４７】
上記ブラケット１４ａの後端部は、図３〜図６に示すように、上方に延在するよう折り曲げてあり、かつ、第１長孔５５ａの後縁部近傍には、図９に示すように、円形の第３係合孔１４ｂを形成してある。この第３係合孔１４ｂの直径の大きさＬ５１は、図７に示す第１長孔５５ａの左右方向の大きさＬ１２と同一である。
【００４８】
吸排気口１４の開口縁には、吸排気口１４を通して例えばネズミ等の小動物が本体キャビネットの外部から内部に進入することを防止するためカバー体６０を設けてある。
【００４９】
カバー体６０は、複数の縦棒状部材（この実施形態では７本）６１，７１，８１と、それら縦棒状部材６１，７１，８１に交差する態様で組み合わせた複数の横棒状部材（この実施形態では５本）９０とで構成してある。
【００５０】
図２中、右から２番目に位置する縦棒状部材６１は、図７中、左方に示す一方の係合孔５０に対応するよう配置してあり、図２中、左から２番目に位置する縦棒状部材６１は、図７中、右方に示す他方の係合孔５０に対応するよう配置してある。以下、これら２本の縦棒状部材６１を係合縦棒状部材６１として説明する。
【００５１】
係合縦棒状部材６１は、図６および図８に示すように、略Ｖ字状を成すよう形成してある。この係合縦棒状部材６１は、例えば金属材料で形成した一本の棒材を折り曲げることで形成してあり、その横断面の直径Ｄ１１が上記一方の係合孔５０の挿脱規制孔５０ｂの前後方向の大きさＬ３２より僅かに小さく、かつ他方の係合孔５０の挿脱規制孔５０ｂの前後方向の大きさＬ３２より僅かに小さい。
【００５２】
この係合縦棒状部材６１の前側の上端には、係合凸部６２を形成してある。この係合凸部６２は、下方から上方に延在する係合縦棒状部材６１の上端部近傍を、後方に向かう態様で斜め上方に折り曲げることで形成してある。
【００５３】
係合凸部６２の前後方向の大きさＤ１２は、図７中、左方に示す一方の係合孔５０の挿脱規制孔５０ｂの前後方向の大きさＬ３２より大きく、かつ図中、右方に示す他方の係合孔５０の挿脱規制孔５０ｂの前後方向の大きさＬ４２より大きい。
【００５４】
しかも、係合凸部６２の前後方向の大きさＤ１２は、図７中、左方に示す一方の係合孔５０の挿脱孔５０ａの前後方向の大きさＬ３３より小さく、かつ図中中、右方に示す他方の係合孔５０の挿脱孔５０ａの前後方向の大きさＬ４３より小さい。
【００５５】
よって、係合凸部６２を挿脱孔５０ａに挿脱することは許容される一方、係合凸部６２を挿脱規制孔５０ｂに挿脱することは規制されることとなる。
【００５６】
また、この係合縦棒状部材６１の後側には、上下方向に延在する第２棒状部６４を設けてある。
【００５７】
さらに、この係合縦棒状部材６１において、上記係合凸部６２の下方に位置し、上下方向に延在する第１棒状部６３と、上記第２棒状部６４との間には、これら第１棒状部６３の下端と第２棒状部６４の下端とを連結する第１連結部６５を設けてある。
【００５８】
このような係合縦棒状部材６１の前後方向の大きさＤ１３、より具体的には、図８に示すように、第１棒状部６３の前端から第２棒状部６４の後端までの大きさＤ１３は、図７に示す第１長孔５５ａの後縁から第２長孔５５ｂの前縁までの大きさＬ１９よりも小さい。
【００５９】
次に、図２に示し、カバー体６０の中央に位置する縦棒状部材７１について説明する。この縦棒状部材７１は、第２係合孔５５に対応するよう配置してある。ここでは、この縦棒状部材７１を付勢縦棒状部材７１として説明する。
【００６０】
付勢縦棒状部材７１は、図５および図９に示すように、略Ｕ字状を成すよう形成してある。この付勢縦棒状部材７１は、例えば金属材料で形成した一本の棒材を折り曲げることで形成してあり、その横断面の直径Ｄ２１が上記第１長孔５５ａの左右方向の大きさＬ１２より僅かに小さく、かつ第２長孔５５ｂの前後方向の大きさＬ２２より僅かに小さい。
【００６１】
この付勢縦棒状部材７１の前側には、一端から下方に向けて延在する第２係合凸部７２を設けてある。また、この付勢縦棒状部材７１の後側には、他端から後方より前方に向けて延在する延在部７３を設けてある。さらに、この付勢縦棒状部材７１には、延在部７３の前端から下方に向けて延在する第３係合凸部７４を設けてある。また、この付勢縦棒状部材７１には、第２係合凸部７２の下端部と第３係合凸部７４の下端部とを連結する第２連結部７５を設けてある。
【００６２】
すなわち、この付勢縦棒状部材７１は、上部が開口するとともに下部が突出する態様で形成してあり、常態では、第２係合凸部７２の前端から第３係合凸部７４の後端までの大きさＤ２２が、図７に示す第１長孔５５ａの後縁から第２長孔５５ｂの前縁までの大きさＬ１９と同一であり、一端と他端とが互いに近接する方向に外力を加えた場合には、第１長孔５５ａの後縁から第２長孔５５ｂの前縁までの大きさＬ１９が上述した大きさよりも小さくなる弾性体である。
【００６３】
また、この発明では、付勢縦棒状部材７１と、第１長孔５５ａと、第２長孔５５ｂとで付勢手段５９を構成している。
【００６４】
次いで、図２中、最も左に位置する縦棒状部材８１、図２中、一方の係合縦棒状部材６１と付勢縦棒状部材７１との間に位置する縦棒状部材８１、図２中、他方の係合縦棒状部材６１と付勢縦棒状部材７１との間に位置する縦棒状部材８１、図２中、最も右に位置する縦棒状部材８１について説明する。ここでは、これらの縦棒状部材８１を副縦棒状部材８１として説明する。
【００６５】
副縦棒状部材８１は、図５、図６、および図１０に略Ｌ字状を成すよう形成してある。この副縦棒状部材８１は、例えば金属材料で形成した一本の棒材を折り曲げることで形成してある。この副縦棒状部材８１は、上下方向に沿って延在する第３棒状部８２と、第３棒状部８２の下端部から斜め上方に向けて延在する第４棒状部８３とで構成してある。
【００６６】
このような副縦棒状部材８１において、第３棒状部８２の前端から第４棒状部８３の後端までの大きさＬ７１は、図８に示す係合縦棒状部材６１の前後方向の大きさＤ１３よりも小さい。
【００６７】
横棒状部材９０は、左右幅方向に沿って延在する態様で形成してある。この横棒状部材９０は、例えば金属材料で形成した一本の棒材で形成してある。この横棒状部材９０の左右幅方向の大きさは、上記吸排気口１４の左右幅方向の大きさよりも大きい。これらの横棒状部材９０は、上述した縦棒状部材６１，７１，８１にスポット溶接することによって、カバー体６０を構成している。より具体的には、４本の横棒状部材９０は、係合縦棒状部材６１の第１棒状部６３、付勢縦棒状部材７１の第２係合凸部７２、および副棒状部材の第３棒状部８２にそれぞれ交差する態様でスポット溶接してあり、かつ１本の横棒状部材９０は、係合縦棒状部材６１の第１連結部６５、付勢縦棒状部材７１の第２連結部７５、および副棒状部材の第４棒状部８３にそれぞれ交差する態様でスポット溶接してある。このように横棒状部材９０を前面扉１１の前側に集中的に配置することで、カバー体６０の前側を剛体に構成する一方、カバー体６０の後側を弾性体に構成してある。
【００６８】
次いで、前面扉１１の開口縁にカバー体６０を取り付ける場合を説明する。先ず、一方の係合孔５０の挿脱孔５０ａに、一方の係合縦棒状部材６１の係合凸部６２を挿入し、他方の係合孔５０の挿脱孔５０ａに、他方の係合縦棒状部材６１の係合凸部６２を挿入し、かつ図７中、第２長孔５５ｂの右縁近傍に付勢縦棒状部材７１の他端を入れる。この状態では、付勢縦棒状部材７１の一端は、ブラケット１４ａの後端部より突出している。
【００６９】
次に、外力を作用させることで、付勢縦棒状部材７１の一端を第１長孔５５ａした後、第３係合孔１４ｂに挿入する。より具体的には、付勢縦棒状部材７１の一端を前側に曲げるとともに、前面扉の右側に捩るように曲げて第１長孔５５ａに挿入した後、第３係合孔１４ｂに挿入する。上述したように付勢縦棒状部材７１の一端を捩るように曲げると、付勢縦棒状部材７１は、一端と他端とが互いに近接する方向に外力が加えられることとなる。
【００７０】
その後、外力を取り除くと、付勢縦棒状部材７１の弾性復元力によって、カバー体６０は、前面扉１１の右方向に移動することとなる。このようにカバー体６０が移動すると、挿脱孔５０ａに係合凸部６２が挿入された係合縦棒状部材６１を、係合凸部６２が挿脱規制孔５０ｂに進入することとなる。
【００７１】
外力を取り除いた状態では、係合縦棒状部材６１の第２棒状部６４材の上端は、ブラケット１４ａの下面に当接し、かつ副棒状部材の第３棒状部８２材の上端が、ブラケット１４ａの下面に当接することとなる。
【００７２】
この状態では、重力の作用でカバー体６０に下方に向かう力が作用するが、その力により、係合縦棒状部材６１の係合凸部６２が、係合孔５０の挿脱規制孔５０ｂの後縁に当接するとともに、付勢縦棒状部材７１の他端が、第３係合孔１４ｂの下縁に当接するため、挿入された係合凸部６２が挿脱規制孔５０ｂから離脱することが規制され、カバー体６０の下方への移動が規制されることとなる。
【００７３】
また、この状態では、例えば自動販売機の利用者の足がカバー体６０に接触した場合には、前方から後方に向けてカバー体６０が移動する力が作用するが、各係合縦棒状部材６１の係合凸部６２が、係合孔５０の挿脱規制孔５０ｂの後縁にそれぞれ当接するため、カバー体６０の後方への移動が規制されることとなる。
【００７４】
さらに、この状態では、上方に向けてカバー体６０が移動する力を受けた場合、係合縦棒状部材６１の第２棒状部６４の上端がブラケット１４ａの下面に当接しており、かつ副棒状部材の第３棒状部８２の上端がブラケット１４ａの下面に当接しているため、カバー体６０の上方への移動が規制されることとなる。
【００７５】
また、この状態では、後方から前方に向けてカバー体６０が移動する力を受けた場合、各係合縦棒状部材６１の係合凸部６２が、係合孔５０の挿脱規制孔５０ｂの前縁にそれぞれ当接するため、カバー体６０の前方への移動が規制されることとなる。
【００７６】
さらに、この状態では、前面扉１１の右方に向けてカバー体６０が移動する力を受けた場合、各係合縦棒状部材６１の係合凸部６２が、係合孔５０の挿脱規制孔５０ｂの右縁にそれぞれ当接するため、カバー体６０の右方への移動が規制されることとなる。
【００７７】
また、この状態では、前面扉１１の左方に向けてカバー体６０が移動する力を受けた場合、付勢手段５９によって、前面扉１１の右方に向けてカバー体６０が移動するよう付勢されているため、カバー体６０の左方への移動が規制されることとなる。
【００７８】
この発明にかかるカバー体の取付構造によれば、挿脱孔５０ａと挿脱規制孔５０ｂとで構成する係合孔５０と、係合凸部６２を有する係合縦棒状部材６１とを備えるとともに、挿脱孔５０ａに係合凸部６２が挿入された係合縦棒状部材６１を、係合凸部６２が挿脱規制孔５０ｂに進入するようカバー体６０を付勢し、かつ係合縦棒状部材６１の係合凸部６２が挿脱規制孔５０ｂに挿入された状態を維持する付勢手段５９を備えるため、係合凸部６２を挿脱孔５０ａに挿入すれば、係合凸部６２が挿脱規制孔５０ｂに進入するよう付勢手段５９によって係合縦棒状部材６１が付勢されることとなる。また、付勢手段５９の付勢力によって係合凸部６２が挿脱規制孔５０ｂに進入した状態が維持されるため、挿脱規制孔５０ｂから係合縦棒状部材６１が離脱することを防止することができ、それにより、前面扉１１の開口縁からカバー体６０が脱落することを防止することができる。また、係合凸部６２が挿脱孔５０ａに進入するよう付勢手段５９の付勢力に抗して外力を加えれば、挿脱孔５０ａから係合凸部６２を離脱させることができ、それにより、前面扉１１の開口縁からカバー体６０を取り外すことができる。しかも、上述したように前面扉１１の開口縁にカバー体６０を着脱する際、ネジ等の締結具を必要としないため、ドライバー等の工具を必要としない。
【図面の簡単な説明】
【００７９】
【図１】本発明にかかるカバー体の取付構造を適用した自動販売機を示す正面図である。
【図２】図１に示した自動販売機の一部を示す説明図である。
【図３】図１に示した自動販売機が有する前面扉を背面側から下方から見た斜視図である。
【図４】図２における矢視Ａ−Ａでの断面図である。
【図５】図１に示したカバー体が備える付勢棒状部材および副棒状部材を示す斜視図である。
【図６】図１に示したカバー体が備える係合棒状部材および副棒状部材を示す斜視図である。
【図７】図１に示した自動販売機が備える前面扉において、その前面扉が備えるブラケットの底面図である。
【図８】図２における矢視Ｂ−Ｂでの断面図である。
【図９】図２における矢視Ｃ−Ｃでの断面図である。
【図１０】図２における矢視Ｄ−Ｄでの断面図である。
【符号の説明】
【００８０】
１１      前面扉
１４      吸排気口（開口）
１４ａ    ブラケット
１４ｂ    第３係合孔
５０      係合孔
５０ａ    挿脱孔
５０ｂ    挿脱規制孔
５５      第２係合孔
５５ａ    第１長孔
５５ｂ    第２長孔
５９      付勢手段
６０      カバー体
６１      係合縦棒状部材
６２      係合凸部
６３      第１棒状部
６４      第２棒状部
６５      第１連結部
７１      付勢縦棒状部材
７２      第２係合凸部
７３      延在部
７４      第３係合凸部
７５      第２連結部（連結部）
８１      副縦棒状部材
８２      第３棒状部
８３      第４棒状部
９０      横棒状部材
【図１】
2008225900.tif 000003
【図２】
2008225900.tif 000004
【図３】
2008225900.tif 000005
【図４】
2008225900.tif 000006
【図５】
2008225900.tif 000007
【図６】
2008225900.tif 000008
【図７】
2008225900.tif 000009
【図８】
2008225900.tif 000010
【図９】
2008225900.tif 000011
【図１０】
2008225900.tif 000012